(57)【要約】【課題】  緊急時等個人認証を一時的に許可させたい場合、センター装置で設定してある日時を変更し、一時的に個人認証操作を許可できる入退室管理システムを得る。【解決手段】  個人認証装置３と、個人認証許可日時データ２１を設定するセンター装置２と、入退室を許可すると解錠される電気錠４とを有するものにおいて、センター装置２は、一時個人認証許可信号２２と、一時個人認証許可時間値２３を設定することができるよう構成され、センター装置からの操作により、一時個人認証許可信号と一時個人認証許可時間値の設定時間とにより、個人認証許可日時データに拘らず、一時的に個人認証操作を許可する。【選択図】    図１
2005182171.tif 000002
【特許請求の範囲】
【請求項１】
個人認証装置と、個人認証許可日時データを設定するセンター装置と、入退室を許可すると解錠される電気錠とを有する入退室管理システムにおいて、
前記センター装置は、一時個人認証許可信号と、一時個人認証許可時間値を設定することができるよう構成され、センター装置からの操作により、前記一時個人認証許可信号と前記一時個人認証許可時間値の設定時間とにより、個人認証許可日時データに拘らず、一時的に個人認証操作を許可することを特徴とする入退室管理システム。
【請求項２】
接点入力により、一時的に個人認証操作を許可することを特徴とする請求項１記載の入退室管理システム。
【請求項３】
一定時間内に、一度個人認証して入室することで個人認証不許可とすることを特徴とする請求項１又は請求項２記載の入退室管理システム。
【発明の詳細な説明】
【技術分野】
【０００１】
この発明は、個人認証装置を有する入退室管理システムに関するものである。
【背景技術】
【０００２】
従来の入退室管理システムにおいては、予め個人認証可能な日時をセンター装置から設定していた（例えば、特許文献１参照）。
【０００３】
【特許文献１】特開２０００−６７２８９号公報
【発明の開示】
【発明が解決しようとする課題】
【０００４】
従来の入退室管理システムでは、緊急時等個人認証を一時的に許可させたい場合、センター装置で設定してある日時を変更し、個人認証を許可にし、個人認証操作を確認してから再度設定データを元に戻す作業が発生していた。
【０００５】
この発明は、上述のような課題を解決するためになされたもので、緊急時等個人認証を一時的に許可させたい場合、センター装置で設定してある日時を変更し、一時的に個人認証操作を許可できる入退室管理システムを提供するものである。
【課題を解決するための手段】
【０００６】
この発明に係る入退室管理システムにおいては、個人認証装置と、個人認証許可日時データを設定するセンター装置と、入退室を許可すると解錠される電気錠とを有するものにおいて、センター装置は、一時個人認証許可信号と、一時個人認証許可時間値を設定することができるよう構成され、センター装置からの操作により、一時個人認証許可信号と一時個人認証許可時間値の設定時間とにより、個人認証許可日時データに拘らず、一時的に個人認証操作を許可するようにしたものである。
【発明の効果】
【０００７】
この発明によれば、個人認証装置を有する入退室管理システムにおいて、個人認証操作の許可／不許可を日時設定しているデータを更新せずに、管理者の責任でセンター装置からの操作により一時的に個人認証操作を許可することができる。
【発明を実施するための最良の形態】
【０００８】
実施の形態１．
図１はこの発明を実施するための実施の形態１における入退室管理システムを示すシステム構成図、図２はこの発明の実施の形態１における入退室管理システムの一時個人認証許可状態処理を説明するためのフローチャート、図３はこの発明の実施の形態１における入退室管理システムの個人認証操作時の入室処理を説明するためのフローチャートである。
【０００９】
図１において、入退室管理システム１は、センター装置２、個人認証装置３及び電気錠３から構成されている。センター装置２で個人認証許可日時データ２１を設定する。個人認証装置３で個人認証され、正規操作可能な個人と識別された場合は、個人認証許可日時データ２１を参照し、許可日時であれば、電気錠４を解錠し入室することができる。もし許可日時でなければ、正規操作可能な個人であっても入室を許可せず、電気錠４を解錠しないことになる。
センター装置２には、一時個人認証許可信号２２と、一時個人認証許可時間値２３とが設定されている。そして、センター装置２からの操作又は接点入力により、一時個人認証許可信号の状態を変化させるとともに、固定値またはセンター装置２からの一時個人認証許可時間値２３の設定時間だけ個人認証許可日時データ２１に拘らず、一時的に個人認証許可することで、セキュリティ性を保ったままで、緊急対応を可能にする機能を実現するように構成したものである。なお、センター装置２は、一時個人認証許可タイマー（図示せず）を備えている。
【００１０】
次に、図２によりこの発明の入退室管理システムの一時個人認証許可状態処理を説明する。
図２において、センター装置２からの操作又は接点入力で一時個人認証許可状態になると、ステップＳ１にて一時個人認証許可状態か否かを一時個人認証許可信号２２の有無により判断する。許可状態であると、ステップＳ２に進み、一時個人認証許可タイマーが起動中であるかを判断する。一時個人認証許可タイマーが未起動であればステップＳ３にて、一時個人認証許可タイマーを起動する。次に、ステップＳ４にて一時個人認証許可時間値２３が経過したかどうかを判断する。ステップＳ４で一時個人認証許可時間値２３がタイムアウトになれば、ステップＳ５に進み、不許可状態にして、一時個人認証許可タイマーを停止する。なお、ステップＳ４で一時個人認証許可タイマーが動作中の間は監視を継続する。
【００１１】
次に、図３によりこの発明の入退室管理システムの個人認証操作時の入室処理を説明する。
図３において、入室処理を開始すると、先ずステップＳ２１にて正規個人認証操作か判断する。正規操作であればステップＳ２２にて一時個人認証許可状態かどうかを判断し、不許可状態であればステップＳ２３に進み、個人認証許可日時かどうかを判断する。ステップＳ２３で許可日時であればステップＳ２４にて電気錠４を解錠し、入室を記録する。なお、ステップＳ２１にて正規操作でなければ、不正操作と判断され、元に戻り、ステップＳ２２にて許可状態であれば、ステップＳ２４に進み、ステップＳ２３にて許可日時でなければ、不許可日時と判断され、元に戻る。
【００１２】
この実施の形態１によれば、センター装置２からの操作又は接点入力により、一時的に個人認証許操作をできるようにしたので、他のシステムとの接続を簡易化することができる。また、一定時間内であれば、何度個人認証してもよいし、一定時間内で、一度個人認証して入室することで個人認証不許可とすることもできる。また、一定時間の設定をセンター装置により可能としているが、センター装置からの操作以外に接点入力により、一時個人認証許可動作を行うようにしてもよい。
【図面の簡単な説明】
【００１３】
【図１】この発明を実施するための実施の形態１における入退室管理システムを示すシステム構成図である。
【図２】この発明の実施の形態１における入退室管理システムの一時個人認証許可状態処理を説明するためのフローチャートである。
【図３】この発明の実施の形態１における入退室管理システムの個人認証操作時の入室処理を説明するためのフローチャートである。
【符号の説明】
【００１４】
１  入退室管理システム
２  センター装置
３  個人認証装置
４  電気錠
２１  日時個人認証許可データ
２２  一時個人認証許可信号
２３  一時個人認証許可時間値
【図１】
2005182171.tif 000003
【図２】
2005182171.tif 000004
【図３】
2005182171.tif 000005